(57)【要約】      （修正有）【課題】オゾン水濃度の安定した小型化の可能な手洗い装置を提供する。【解決手段】オゾン水を用いた手洗い装置は、電解式オゾン水生成装置２と、密閉式のオゾン水タンク５と、該オゾン水タンク５内のオゾン水を前記電解式オゾン水発生装置２の陽極側流路２ａを通して再度該オゾン水タンク５に帰還させる循環ポンプＰ１を備えたオゾン水循環ラインＬ９，Ｌ４，Ｌ６，Ｌ８と、手洗い水吐出ノズル１３と、を有し、前記電解式オゾン水発生装置２の生成オゾン水配管Ｌ６を２分し、一方のオゾン水配管Ｌ７を前記手洗い水吐出ノズル１３に接続し、他方のオゾン水配管Ｌ８を前記オゾン水タンク５に接続する事により、前記電解式オゾン水発生装置２を通して生成させたオゾン水、又再循環してオゾン水濃度の富化されたオゾン水のいずれかを、前記手洗い水吐出ノズル１３に供給可能とした。【選択図】        図１
2004324190.tif 000002
【特許請求の範囲】
【請求項１】
オゾン水を用いた手洗い装置であって、
原料水を電気分解して陽極側流路（２ａ）にオゾン水を生成する電解式オゾン水生成装置（２）と、
該電解式オゾン水生成装置（２）で生成したオゾン水を貯蔵する密閉式のオゾン水タンク（５）と、
該オゾン水タンク（５）内のオゾン水を前記電解式オゾン水発生装置（２）の陽極側流路（２ａ）を通して再度該オゾン水タンク（５）に帰還させる循環ポンプ（Ｐ１）を備えたオゾン水循環ライン（Ｌ９，Ｌ４，Ｌ６，Ｌ８）と、
手洗い水吐出ノズル（１３）と、を有し、
前記電解式オゾン水発生装置（２）の生成オゾン水配管（Ｌ６）を２分し、一方のオゾン水配管（Ｌ７）を前記手洗い水吐出ノズル（１３）に接続し、他方のオゾン水配管（Ｌ８）を前記オゾン水タンク（５）に接続する事により、前記原料水を前記電解式オゾン水発生装置（２）を通して生成させたオゾン水、又は前記オゾン水タンク（５）内の貯蔵オゾン水を前記電解式オゾン水発生装置（２）を通してオゾン水濃度の富化されたオゾン水のいずれかを、前記手洗い水吐出ノズル（１３）に供給可能にしてなる
ことを特徴とするオゾン水を用いた手洗い装置
【請求項２】
前記電解式オゾン水発生装置（２）の前記生成オゾン水配管（Ｌ６）にオゾン水濃度センサ（４）を設け、該オゾン水濃度センサ（４）の検知濃度に基づいて前記電解式オゾン水発生装置（２）で生成するオゾン水濃度を所定の範囲となる様に制御してなる請求項１に記載のオゾン水を用いた手洗い装置
【請求項３】
前記電解式オゾン水発生装置（２）の生成オゾン水配管（Ｌ６）の先端部に、１つの入口ポートと２つの出口ポートからなる第１三方弁（Ｖ５）の前記入口ポートが接続され、前記出口ポートの一方は前記手洗い水吐出ノズル（１３）に連結されたオゾン水配管（Ｌ７）に接続され、他方の出口ポートは前記オゾン水タンク（５）に連結されたオゾン水配管（Ｌ８）に接続されている請求項１又は２に記載のオゾン水を用いた手洗い装置
【請求項４】
前記電解式オゾン水発生装置（２）の陽極側流路（２ａ）の入口側配管（Ｌ４）に、１つの出口ポートと２つの入口ポートからなる第２三方弁（Ｖ２）の前記出口ポートが接続され、前記入口ポートの一方は原料水供給配管Ｌ（Ｌ２）に接続され、他方の入口ポートは前記オゾン水タンク（５）に接続されている請求項１乃至３のいずれかに記載のオゾン水を用いた手洗い装置
【請求項５】
前記手洗い水吐出ノズル（１３）に設けられた開閉弁（Ｖ６）が開けられた事を検知すると、前記三方弁（Ｖ５）の流路を自動的に切り替えて前記生成オゾン水配管（Ｌ６）と前記オゾン水吐出ノズル（１３）に連結されたオゾン水配管（Ｌ７）とを連通させる様に制御してなる請求項３に記載のオゾン水を用いた手洗い装置
【請求項６】
前記オゾン水タンク（５）には、上限水位と下限水位とを検知する水位センサ（７ａ，７ｂ）を備えた水位センサ（７）が配置されており、下限水位センサ（７ｂ）が下限水位を検知したときは、上限水位センサ（７ａ）が上限水位を検知するまで、前記電解式オゾン水発生装置（２）に原料水を供給して生成したオゾン水を前記オゾン水タンク（５）に供給貯水する様に制御してなる請求項１乃至５のいずれかに記載のオゾン水を用いた手洗い装置
【請求項７】
前記水位センサ（７）が、前記オゾン水タンク（５）内の水位が所定の水位範囲に存在することを検知している間は、該オゾン水タンク（５）内のオゾン水を、前記循環ポンプ（Ｐ１）を経て前記電解式オゾン水発生装置の前記陽極側流路（２ａ）を通してオゾン水濃度を高めた後に、前記オゾン水タンク（５）に帰還させるオゾン水循環運転を、前記オゾン水濃度センサ（４）で検出されるオゾン水濃度が所定の上限値に達するまで行う様に制御してなる請求項６に記載のオゾン水を用いた手洗い装置
【請求項８】
前記オゾン水濃度が所定の上限値に達した後は、一定時間経過する毎に、前記オゾン水循環運転を行う様に制御してなる請求項７に記載のオゾン水を用いた手洗い装置
【請求項９】
前記水位センサ（７）が、前記オゾン水タンク（５）内の水位が所定の水位範囲に存在することを検知している間は、前記循環ポンプ（Ｐ１）を経て前記電解式オゾン水発生装置（２）の前記陽極側流路（２ａ）を通してオゾン水濃度が富化されたオゾン水を、前記手洗い水吐出ノズル（１３）に供給する様に制御してなる請求項７又は８に記載のオゾン水を用いた手洗い装置
【請求項１０】
前記手洗い水吐出ノズル（１３）に供給されるオゾン水濃度は低濃度オゾン水と高濃度オゾン水の２種類を選択可能に構成されており、
前記低濃度オゾン水が選択されている状態で前記手洗い水吐出ノズル（１３）に設けられた開閉弁（Ｖ６）が開けられた事を検知すると、前記電解式オゾン水発生装置（２）に原料水を供給してオゾン水を生成し、該生成オゾン水を前記手洗い水吐出ノズル（１３）に連結されたオゾン水配管（Ｌ７）に供給する様になし、
前記高濃度オゾン水が選択されている状態で前記手洗い水吐出ノズル（１３）に設けられた開閉弁（Ｖ６）が開けられた事を検知すると、前記オゾン水タンク（５）内のオゾン水を前記循環ポンプ（Ｐ１）を経て前記電解式オゾン水発生装置（２）の前記陽極側流路（２ａ）を通してオゾン水濃度を富化した後に、前記手洗い水吐出ノズル（１３）に連結されたオゾン水配管（Ｌ７）に供給する様にしてなる請求項１乃至８のいずれかに記載のオゾン水を用いた手洗い装置
【請求項１１】
前記手洗い水吐出ノズル（１３）の下方にシンク（９）を配置し、該シンク（９）の上端近傍に吸気口（１４）を設け、該吸気口（１４）から吸引したオゾンを含む空気を、オゾン分解装置（１１）を通して大気中に放出する様にしてなる請求項１乃至１０のいずれかに記載のオゾン水を用いた手洗い装置
【請求項１２】
前記吸気口（１４）に接続された配管（Ｇ３）に吸気ファン（１０）を設け、前記手洗い水吐出ノズル（１３）に設けられた開閉弁（Ｖ６）が開けられた事を検知して該吸気ファン（１０）を起動させ、前記開閉弁（Ｖ６）閉じられた事を検知して該吸気ファン（１０）を停止させる様に制御してなる請求項１１に記載のオゾン水を用いた手洗い装置
【請求項１３】
前記オゾン水タンク（５）の上部に、該タンク内の圧力が所定値以上になると開口して該タンク内のガスを排出する自動排気装置（６）が設けられており、該自動排気装置（６）からのオゾンを含む排出ガスを前記オゾン分解装置（１１）を通して大気に放出する様にしてなる請求項１１又は１２に記載のオゾン水を用いた手洗い装置
【請求項１４】
前記電解式オゾン水発生装置（２）の陰極側流路（２ｂ）を流通した陰極水を、前記手洗い水吐出ノズル（１３）から、手洗い用オゾン水と合流させて吐出する様にしてなる請求項１乃至１３のいずれかに記載のオゾン水を用いた手洗い装置
【請求項１５】
前記陰極水アルカリ水である請求項１４に記載のオゾン水を用いた手洗い装置
【請求項１６】
前記原料水，オゾン水又は前記陰極側流路（２ｂ）を流通した陰極水の少なくとも１つを加温する加温手段（１７，１８）が設けられており、前記手洗い水吐出ノズル（１３）からオゾン温水の吐出が可能に構成されている請求項１乃至１５のいずれかに記載のオゾン水を用いた手洗い装置
【請求項１７】
電解式オゾン水発生装置（２）によって生成したオゾン水の濃度を、所定の範囲に維持するためのオゾン水濃度維持装置であって、
原料水を電気分解して陽極側流路（２ａ）にオゾン水を生成する電解式オゾン水生成装置（２）と、
該電解式オゾン水生成装置（２）で生成したオゾン水を貯蔵する密閉式のオゾン水タンク（５）と、
該オゾン水タンク（５）に設置され且つ上限水位と下限水位とを検知する水位センサ（７ａ，７ｂ）を備えた水位センサ（７）と、
開閉バルブ（Ｖ６）を備えたオゾン水吐出ノズル（１３）と、
前記電解式オゾン水生成装置（２）の生成オゾン水配管（Ｌ６）に配置されたオゾン水濃度センサ（４）と、
前記電解式オゾン水生成装置（２）の生成オゾン水配管（Ｌ６）の先端部に１つの入口ポートが接続された第１三方弁（Ｖ５）と、
該第１三方弁（Ｖ５）の２つの出口ポートの内の一方に接続され且つ前記オゾン水吐出ノズル（１３）に接続されたオゾン水配管（Ｌ７）と、
前記第１三方弁（Ｖ５）の他方の出口ポートに接続され且つ前記オゾン水タンク（５）に接続されたオゾン水配管（Ｌ８）と、
前記電解式オゾン水発生装置（２）の前記陽極側流路（２ａ）の入口側配管（Ｌ４）に１つの出口ポートが接続された第２三方弁（Ｖ２）と、
該第２三方弁（Ｖ２）の２つの入口ポートの内の一方に接続された原料水供給配管（Ｌ２）と、
前記第２三方弁（Ｖ２）の他方の入口ポートに一端が接続され他端が前記オゾン水タンク（５）に接続されたオゾン水循環配管（Ｌ９）と、を有し、
前記オゾン水吐出ノズル（１３）に対し、前記原料水を前記電解式オゾン水発生装置（２）を通して生成させたオゾン水、又は、前記オゾン水タンク（５）内の貯蔵オゾン水を前記電解式オゾン水発生装置（２）を通してオゾン濃度を富化させたオゾン水のいずれかを供給可能となすと共に、
前記水位センサ（７）が前記オゾン水タンク（５）内の水位が所定の水位範囲に存在することを検知している間は、該オゾン水タンク（５）内のオゾン水を前記オゾン水循環配管（Ｌ９）から前記三方弁（Ｖ２）を経て前記電解式オゾン水発生装置（２）の前記陽極側流路（２ａ）を通してオゾン水濃度を富化させた後に前記オゾン水タンク（５）に帰還させるオゾン水循環運転を、前記オゾン水濃度センサ（４）で検出されるオゾン水濃度が所定の上限値に達するまで行うと共に、該オゾン水濃度が所定の上限値に達すると、一定時間経過する毎に前記オゾン水循環運転を行う様に制御する事によって前記オゾン水タンク（５）内のオゾン水濃度を所定範囲に維持する様に制御してなる事を特徴とするオゾン水濃度維持装置
【発明の詳細な説明】
【０００１】
【発明の属する技術分野】
本発明は、オゾン水を用いた手洗い装置と、これに使用するオゾン水濃度維持装置に関するものである。
【０００２】
【従来の技術】
オゾン水は、高い殺菌機能を有しており、且つ、短時間でその機能を失う事から、食品の洗浄殺菌や厨房器具や床等の洗浄殺菌水として使用されている。又、近年では、Ｏ−１５７による食中毒や院内感染等の医療事故の発生に伴い、厨房の料理人や病院の医者，看護師等の手洗い用の消毒水や殺菌水としての用途も注目されている。
【０００３】
このオゾン水を用いた手洗い装置としては、オゾンガス発生器で生成したオゾンガスをタンク内の水中に吹き込んでオゾンを溶解させる事によってオゾン水を生成し、これを手洗い等の洗浄水として使用する方法（例えば特許文献１）や、オゾンガス発生器で生成したオゾンガスと原料水とを気液混合器に供給して原料水中にオゾンガスを溶解させる事によってオゾン水を生成させ、これを手洗い消毒水として使用する方法（例えば特許文献２）や、タンク内の水をポンプ循環させる配管途中に気液混合器を配置し、該混合器中にオゾンガス発生器で生成したオゾンガスを注入してオゾンを溶解させる事によってオゾン水を生成させ、これを手洗い等の洗浄水として使用する方法（例えば特許文献３）がある。
【０００４】
オゾン水生成装置としては、上記のオゾンガスを水中に吹き込んで溶解させる方式のものの他、近年は、水の電気分解によって陽極側にオゾン水を生成させる電解式オゾン水発生装置（例えば特許文献４）が主流となりつつある。
【０００５】
又、オゾン水の酸化能を短時間で発揮させるためにオゾン水とアルカリ水とを混合して使用する方法もある（例えば特許文献５）。
【０００６】
【特許文献１】
特開平１１−１４０９２９号公報（図１参照）
【特許文献２】
特開平６−２３３８０５公報（図１参照）
【特許文献３】
特開平７−２４１３３２公報（図１参照）
【特許文献４】
特開平８−１３４６７７公報（図１参照）
【特許文献５】
特開２０００−２８８５４６号公報（特許請求の範囲の記載参照）
【０００７】
【発明が解決しようとする課題】
係る従来のオゾン水による手洗い装置においては、いずれもオゾナイザーでオゾンガスを発生させ、このオゾンガスを原料水中に溶解させる方式のものであって、前記特許文献１は、オゾン水タンクからの排水量を検知し、該タンク内に供給する原料水の量とオゾンガスの供給量を制御する事によって前記オゾン水タンク内のオゾン水濃度を一定に保つ様にしたものであり、前記特許文献２は、気水混合器と渦流型ポンプを用いる事によって、このオゾンガスの溶解効率を高めようとするものであるが、いずれもオゾン水濃度としては、高々２〜３ｐｐｍ程度が限界であり、１０ｐｐｍ以上の高濃度のオゾン水を生成させる事は不可能である。
【０００８】
一方、前記特許文献３は、貯水タンク内の水を外部ポンプによって循環させる循環ラインを設け、該循環ライン中にオゾンガスを吹き込んでオゾン水を生成させる事により、水源のない屋外でもオゾン水の製造を可能にしたものであるが、オゾン水を循環させつつオゾンガスの溶解も行い得る点では、上記特許文献１及び２に記載の装置に比して高濃度化も可能であるが、数ｐｐｍ以上の高濃度化は現実的には不可能である。
【０００９】
又、未溶解のオゾンガスを含む大量の空気の処理が不可欠であり、オゾンガスを含んだまま大気中に放出する事はできないので、オゾンガスの分解処理が必要となるが、大量の空気を処理する必要上、オゾン分解装置の容量も大きく成らざるを得ない問題がある。
【００１０】
以上の通り、従来のオゾン水を用いた手洗い装置は、数ｐｐｍ以上の比較的高濃度のオゾン水を安定して供給できるものではなく、又、オゾン水製造コストも高く、従って、オゾン水を病院や調理場の手洗い用に普及させるには、性能面でもコスト面でも問題があった。
【００１１】
本発明は、係る問題点に鑑みてなされたもので、比較的高濃度のオゾン水を、安価に且つ安定して供給する事ができると共に、コンパクト化が可能なオゾン水を用いた手洗い装置の提供を目的とするものである。
【００１２】
【課題を解決するための手段】
本発明は、上記問題点を解決するために成されたものであって、その特徴とするころは、
原料水を電気分解して陽極側流路にオゾン水を生成する電解式オゾン水生成装置と、該電解式オゾン水生成装置で生成したオゾン水を貯蔵する密閉式のオゾン水タンクと、
該オゾン水タンク内のオゾン水を前記電解式オゾン水発生装置の陽極側流路を通して再度該オゾン水タンクに帰還させる循環ポンプを備えたオゾン水循環ラインと、
手洗い水吐出ノズルと、を有し、
前記電解式オゾン水発生装置の生成オゾン水配管を２分し、一方のオゾン水配管を前記手洗い水吐出ノズルに接続し、他方のオゾン水配管を前記オゾン水タンクに接続する事により、前記原料水を前記電解式オゾン水発生装置を通して生成させたオゾン水、又は前記オゾン水タンク内の貯蔵オゾン水を前記電解式オゾン水発生装置を通してオゾン水濃度の富化されたオゾン水のいずれかを、前記手洗い水吐出ノズルに供給する様にしてなる点にある。これにより、オゾン水タンクと電解式オゾン水発生装置との間でオゾン水を循環させる事により、オゾン水濃度を常に一定に保つ事が可能となっている。
【００１３】
又、前記電解式オゾン水発生装置の前記生成オゾン水配管にオゾン水濃度センサを設け、該オゾン水濃度センサの検知濃度に基づいて前記電解式オゾン水発生装置で生成するオゾン水濃度を、所定の下限値以上となる様に制御するのが好ましい実施態様である。
【００１４】
又、前記電解式オゾン水発生装置の生成オゾン水配管の先端部に、１つの入口ポートと２つの出口ポートを有する三方弁の前記入口ポートを接続し、該三方弁の一方の出口ポートは前記手洗い水吐出ノズルに連結されたオゾン水配管に接続し、他方の出口ポートは前記オゾン水タンクに連結されたオゾン水配管に接続して、電解式オゾン水発生装置から送られてくるオゾン水を手洗い水吐出ノズルとオゾン水タンクのいずれかに送給する用になすのが好ましい態様である。
【００１５】
又、前記電解式オゾン水発生装置の陽極側流路の入口側配管に、１つの出口ポートと２つの入口ポートからなる第２三方弁の前記出口ポートが接続され、前記入口ポートの一方は原料水供給配管Ｌに接続され、他方の入口ポートは前記オゾン水タンクに接続させて、前記陽極側流路への供給水の切り替えを容易に行える様になすのが好ましい態様である。
【００１６】
又、前記手洗い水吐出ノズルに設けられた開閉弁が開けられた事を検知して、前記第１三方弁の流路を切り替えて前記生成オゾン水配管と前記オゾン水吐出ノズルに連結されたオゾン水配管とを連通させる様に制御する。
【００１７】
特に、前記オゾン水タンクには、上限水位と下限水位とを検知する水位センサを具備した水位センサが配置されており、下限水位センサが下限水位を検知したときは、上限水位センサが上限水位を検知するまで、前記電解式オゾン水発生装置に原料水を供給して生成したオゾン水を前記オゾン水タンクに供給貯水する様に制御するのが好ましく、これにより、オゾン水タンク内に常に所定量のオゾン水を貯蔵しておく事が可能となる。
【００１８】
又、前記水位センサが、前記オゾン水タンク内の水位が所定の水位範囲に存在することを検知している間は、該オゾン水タンク内のオゾン水を、前記循環ポンプを経て前記電解式オゾン水発生装置の前記陽極側流路を通してオゾン水濃度を富化した後に前記オゾン水タンクに帰還させるオゾン水循環運転を、前記オゾン水濃度センサで検出されるオゾン水濃度が所定の上限値に達するまで行う様に制御する用になすのも好ましい態様である。これにより、オゾン水タンク内のオゾン水を常に所定の濃度に維持する事が可能となる。この場合に、前記オゾン水濃度が所定の上限値に達した後は、一定時間経過する毎に、前記オゾン水循環運転を行う様にしておけば、常時オゾン水濃度の自動チェックがなされ、オゾン水濃度の維持管理が自動的に行える事になる。
【００１９】
又、前記水位センサが、前記オゾン水タンク内の水位が所定の水位範囲に存在することを検知している間は、前記循環ポンプを経て前記電解式オゾン水発生装置の前記陽極側流路を通してオゾン水濃度が高められたオゾン水を、前記手洗い水吐出ノズルから吐出する様にしておけば、常に一定の濃度のオゾン水で手洗いが可能となる。
【００２０】
又、前記手洗い水吐出ノズルに供給されるオゾン水濃度は、低濃度オゾン水と高濃度オゾン水の２種類を選択可能に構成されており、前記低濃度オゾン水が選択されている状態で前記手洗い水吐出ノズルに設けられた開閉弁が開けられた事を検知すると前記電解式オゾン水発生装置に原料水を供給してオゾン水を生成して該生成オゾン水を前記手洗い水吐出ノズルに連結されたオゾン水配管に供給する様になし、前記高濃度オゾン水が選択されている状態で前記手洗い水吐出ノズルに設けられた開閉弁が開けられた事を検知すると前記オゾン水タンク内のオゾン水を前記循環ポンプを経て前記電解式オゾン水発生装置の前記陽極側流路を通してオゾン水濃度を富化した後に前記手洗い水吐出ノズルに連結されたオゾン水配管に供給する様にして、低濃度オゾン水と高濃度オゾン水との選択を可能にするのも好ましい態様である。
【００２１】
又、前記手洗い水吐出ノズルの下方にシンクを配置し、該シンクの上端近傍に吸気口を設け、該吸気口から吸引したオゾンを含む空気をオゾン分解装置を通して大気に放出する様にしておけば、手洗い中の人がオゾンガスを吸入するのを防止する事が可能となる。この場合に、前記吸気口に接続された配管に吸気ファンを設け、前記手洗い水吐出ノズルに設けられた開閉弁が開けられた事を検知して該吸気ファンを起動させ、前記開閉弁が閉じられた事を検知して該吸気ファンを停止させる様に制御するのが好ましい。
【００２２】
又、前記オゾン水タンクの上部に、該タンク内の圧力が所定値以上になると開口して該タンク内のガスを排出する自動排気装置が設けられており、該自動排気装置からのオゾンを含む排出ガスは、前記オゾン分解装置を通して大気に放出する様にしておくのも好ましい態様である。
【００２３】
又、前記電解式オゾン水発生装置の陰極側流路を流通した陰極水を前記手洗い水吐出ノズルで手洗い用オゾン水と混合して吐出する様になす事も可能である。この場合に、前記陰極水がアルカリ水の場合には、オゾン水中のオゾンがアルカリ存在下では急速に分解して酸化能が急速に高まると共に短時間で失活する事を利用してオゾン水を短時間で効果的に活用する事が可能となる。
【００２４】
又、前記原料水，オゾン水又は陰極水の少なくとも１つを加温する加温手段を設けて前記手洗い水吐出ノズルからオゾン温水を吐出可能となすのも好ましい態様である。
【００２５】
又、上記手洗い装置に使用するオゾン水濃度維持装置としては、
上水を電気分解して陽極側流路にオゾン水を生成する電解式オゾン水生成装置と、
該電解式オゾン水生成装置で生成したオゾン水を貯蔵する密閉式のオゾン水タンクと、
該オゾン水タンクに設置され且つ上限水位と下限水位とを検知する水位センサを備えた水位センサと、
開閉バルブを備えたオゾン水吐出ノズルと、
前記電解式オゾン水生成装置の生成オゾン水配管に配置されたオゾン水濃度センサと、
前記電解式オゾン水生成装置の生成オゾン水配管の先端部に入口ポートが接続された第１三方弁と、
該第１三方弁の２つの出口ポートの内の一方に接続され且つ前記オゾン水吐出ノズルに接続されたオゾン水配管と、
前記第１三方弁の他方の出口ポートに接続され且つ前記オゾン水タンクに接続されたオゾン水配管と、
前記電解式オゾン水発生装置の前記陽極側流路の入口側に１つの出口ポートが接続され、２つの入口ポートには夫々前記オゾン水循環配管と原料水配管とが接続された第２三方弁と、
前記オゾン水タンクの貯蔵オゾン水を、循環ポンプを介して前記電解式オゾン水発生装置の前記陽極側流路に循環供給するオゾン水循環配管と、を有し、
前記オゾン水吐出ノズルに対し、前記上水を前記電解式オゾン水発生装置を通して生成させたオゾン水、又は、前記オゾン水タンク内の貯蔵オゾン水を前記電解式オゾン水発生装置を通してオゾン濃度を富化させたオゾン水のいずれかを供給可能となすと共に、
前記水位センサが、前記オゾン水タンク内の水位が所定の水位範囲に存在することを検知している間は、該オゾン水タンク内のオゾン水を前記オゾン水循環配管から前記第２三方弁を経て前記電解式オゾン水発生装置の前記陽極側流路を通してオゾン水濃度を高めた後に前記オゾン水タンクに帰還させるオゾン水循環運転を前記オゾン水濃度センサで検出されるオゾン水濃度が所定の上限値に達するまで行うと共に、該オゾン水濃度が所定の上限値に達すると、一定時間経過する毎に前記オゾン水循環運転を行う様に制御する事によって前記オゾン水タンク内のオゾン水濃度を所定範囲に維持する様に制御してなるものである。
【００２６】
【発明の実施の形態】
以下に本発明を、図面及び実施例に基づいて詳細に説明する。図１は本発明のオゾン水を用いた手洗い装置の一実施例を示すフロー図である。本発明装置の主要機器は、電解式オゾン水発生装置２と密閉型のオゾン水タンク５と手洗い用オゾン水吐出ノズル１３と使用済オゾン水の受け槽となるシンク９とからなっている。
【００２７】
原料水となる水道水或いは井戸水等の上水は、配管Ｌ１からバルブＶ１を経て軟水器１に供給され、軟水化されて配管Ｌ２から電解式オゾン水発生装置２に供給される。この軟水器１には、陽イオン交換樹脂が充填されており、上水中のＣａ，Ｍｇ等の硬水成分が陽イオン交換されて軟水化される。使用する陽イオン交換樹脂がナトリウム（Ｎａ）交換樹脂の場合には、Ｃａ，Ｍｇ等がＮａに置換され、水素（Ｈ）交換樹脂の場合には、これら硬水成分がＨに置換されて軟水化される。尚、病院等において使用されているＲＯ水（逆浸透膜透過水）を原料水とする場合には、係る硬水成分は既に除去されているので、軟水器を通す必要はない。
【００２８】
本発明で使用する電解式オゾン水発生装置２は、前記特許文献４に記載されている公知の装置であり、その要部概念図を図５に示している。図５において、耐オゾン性のフッ素系樹脂で形成された有機物固体電解質膜２１の一方の面に、オゾン生成触媒機能を有する白金等の貴金属製の金網からなる陽極電極２２を該有機物固体電解質膜２１に重ね合わせる様にして配置し、他方の面には、同様に陰極電極２３を該有機物固体電解質膜２１に重ね合わせる様にして配置し、両電極の外側面には夫々チタン或いはステンレス鋼製のオゾン水耐食性を有する金属製のラス網２４，２５が全長に亘って配置されており、両電極間に直流電圧を印加できる様に、各電極は直流電源３（図１参照）に接続されている。又、各電極２２，２３とラス網２４，２５とを内包する様に、外側に陽極側ジャケット２６と陰極側ジャケット２７が夫々配置されており、各ジャケットには、陽極側水流入口２８，陰極側水流入口２９及びオゾン水流出口３０，アルカリ水流出口３１が夫々形成されている。
【００２９】
この装置に直流電圧を印加すると共に、配管Ｌ２から供給される前記軟水化された上水或いはＲＯ水等の原料水を、陽極側給水配管Ｌ４及び陰極側給水配管Ｌ３から前記陽極側水流入口２８及び陰極側水流入口２９を経て陽極側流路２ａ及び陰極側流路２ｂ（図１参照）に通水すると、陽極側流路２ａ内では、水の電解によって生成したＯＨイオン（ＯＨ−  ）  が電極面に集まり、このＯＨイオンは、前記オゾン生成触媒の作用によってオゾンに生成されると共に直ちに水中に溶解してオゾン水を生成する。このオゾン水は、前記オゾン水流出口３０から生成オゾン水配管Ｌ６に送出される。ここで、前記陽極電極２２の外面近傍には千鳥状に金網が互いに接合されているラス網２４によって複雑に入り組んだ流路が形成されているので、該陽極電極外面には多数の小さな渦流が生じる。この結果、電極面で発生したオゾンは、該渦流に巻き込まれて速やかに水中に溶解するので、気体オゾンとして水流と共に流出するオゾン量は極めて少なくなり、換言すると溶解オゾン量が増加するので３０ｐｐｍ程度の高濃度オゾン水が得られる事になる。
【００３０】
同様に、陰極側流路２ｂ内では、水の電解によって生じた水素イオン（Ｈ＋  ）が電極面に集まり、水素ガスとなって水中から放出される。同時に、前記軟水器においてＮａイオン交換樹脂を用いて軟水化された原料水の場合には、該陰極面に前記硬水成分（Ｃａ＋＋，Ｍｇ＋＋）とイオン交換されたＮａ＋  等の水中に微量に含まれているアルカリ金属イオンが集まって濃縮され、陰極側の水をアルカリ水となし、前述の水素ガスと共にアルカリ水流出口３１からアルカリ水配管Ｌ５に送出される。この様に、陰極側ではアルカリ金属イオン（主としてＮａイオン）が濃縮される結果、陰極側流路２ｂ内の水はｐＨ９〜１１或いはそれ以上のアルカリ水が得られる。このｐＨの値は、両極側に供給される水の比率によって異なり、陰極側流路２ｂの通水比率を小さくすればｐＨは高くなり、逆に大きくすればｐＨは低くなる。尚、前記水素イオン交換樹脂を用いた場合やＲＯ水を原料水として用いた場合には、陰極水は略中性であるが、イオン交換樹脂の価格や実用性の面からはＮａイオン交換樹脂が使用され、陰極水はアルカリ水となる場合が殆どであるので、以下の説明では陰極水の意味でアルカリ水と記載する場合がある。
【００３１】
上述の要領で生成されたオゾン水は、生成オゾン水配管Ｌ６に設けられたオゾン水濃度センサ４にてオゾン濃度が計測され、その計測信号が制御装置８に送信されて所期の設定オゾン水濃度となる様に電流や電圧が制御される。
【００３２】
前記生成オゾン水配管Ｌ６から送給されてくるオゾン水は、バルブＶ４を経て第１三方弁Ｖ５に至る。この第１三方弁Ｖ５の入口ポートは、前記生成オゾン水配管Ｌ６の先端部に接続されており、２つの出口ポートの一方は、手洗い用オゾン水吐出ノズル１３に連結されたオゾン水配管Ｌ７に接続され、他方の出口ポートは、オゾン水タンク５に至るオゾン水配管Ｌ８に接続されている。
【００３３】
又、前記電解式オゾン水発生装置２の陽極側流路２ａの上流側配管Ｌ４の上流端には第２三方弁Ｖ２が配置されており、該第２三方弁Ｖ２は、１つの出口ポートと２つの入口ポートを有しており、出口ポートは前記陽極側流路２ａの上流側配管Ｌ４に接続され、入口ポートの一方は前記原料水配管Ｌ２に接続され、他方の入口ポートは後述するオゾン水循環配管Ｌ９に接続されている。
【００３４】
次に、本発明の装置における運転制御について説明する。先ず、運転開始時点におけるオゾン水をオゾン水タンク５に貯蔵する工程について図１と図２を用いて説明する。運転開始の時点においては、オゾン水タンク５は空であるので、該タンク５に所定量のオゾン水を蓄積する貯水工程から開始される。制御装置８のメインスイッチ（図示せず）を入れると（ブロック４０）、原料水配管Ｌ１のバルブＶ１は大きく開けられる（以下「開度大」と記載する。尚、該バルブＶ１は該「開度大」と後述する「開度小」と「閉」との３段設定になっている）。又、同時にバルブＶ３，Ｖ４が開けられて前記電解式オゾン水発生装置２の各流路２ａ，２ｂに通水が開始されると共に、第１三方弁Ｖ５は、配管Ｌ６と配管Ｌ８が連通され（ブロック４１）、これにより陽極側流路２ａを流れた水はオゾン水タンク５内に流入し、陰極側流路２ｂを流れた水は配管Ｌ５からアルカリ水タンク（陰極水タンク）１５内に流入ンする。
【００３５】
この様にして電解式オゾン水発生装置２内への通水が開始されると制御装置８からの信号により（或いはマニアルで）電源３から該電解式オゾン水発生装置２への通電が開始されてオゾン水の生成が開始され、生成オゾン水配管Ｌ６から送出されるオゾン水は、前記第１三方弁Ｖ５，オゾン水配管Ｌ８を経て前記オゾン水タンク５内にオゾン水の蓄積貯蔵を開始する（ブロック４２）。一方、陰極側流路２ｂで生成したアルカリ水は、配管Ｌ５からアルカリ水タンク１５内に流入して貯蔵される。尚、陽極側流路２ａに供給される水量と陰極側流路２ｂに供給される水量との比を１０：１程度に陰極側流路２ｂへの供給量を絞っておけばアルカリ水の生成は最小限に抑える事できる。このオゾン水の蓄積貯蔵工程では、前記オゾン水濃度センサ４によって生成オゾン水濃度が常時検出され、生成オゾン水濃度が所定の範囲となる様に電圧や電流が制御されている事はいうまでもない。
【００３６】
前記オゾン水タンク５には、上限水位センサ７ａと下限水位センサ７ｂとを有する水位センサ７が配置されており、オゾン水タンク５内のオゾン水の水位は常に検出されている。オゾン水の水位が下限水位センサ７ｂ以下の状態が検知されると、制御装置８からの指令により、前記第１三方弁Ｖ５は生成オゾン水配管Ｌ６と前記オゾン水タンク５に接続されたオゾン水配管Ｌ８とを連通させ、オゾン水を配管Ｌ８から該タンク５内に導入する様に制御する。従って、オゾン水タンク５が空の運転開始の時点では、前記生成オゾン水配管Ｌ６から送給されてくるオゾン水は、第１三方弁Ｖ５，オゾン水配管Ｌ８を経てオゾン水タンク５に流入する状態が維持される。
【００３７】
前記オゾン水タンク５内のオゾン水の水位が前記上限水位センサ７ａのレベルに達した事が検知されると（判断手段４３：Ｙｅｓ）、この検知信号を制御装置８に送信し、該制御装置８からの信号により、第２三方弁Ｖ２の流路をオゾン水循環配管Ｌ９と前記陽極側流路２ａに到る配管Ｌ４とを連通させて原料水配管Ｌ２と該配管Ｌ４との連通を絶つ。同時にオゾン水循環ポンプＰ１を作動させ、オゾン水タンク５→配管Ｌ９→ポンプＰ１→配管Ｌ４→陽極側流路２ａ→配管Ｌ６→配管Ｌ８→オゾン水タンク５の経路からなるオゾン水循環を開始する。同時に原料水の元弁Ｖ１の開度を下げて（以下「開度小」と記載する）、原料水配管Ｌ２からは、前記陰極側流路２ｂにのみ、少量の原料水を供給し、この原料水はアルカリ水となってアルカリ水タンク１５内への供給蓄積が継続される（ブロック４４）。
【００３８】
オゾン水中の溶存オゾンは不安定であるので、時間の経過と共にオゾンは分解して酸素となりオゾン水濃度は次第に低下する。従って、オゾン水を長期保存する事は困難であるので、オゾン濃度の低下した前記タンク内のオゾン水を上述のオゾン水の循環によりオゾン水濃度が富化されて（オゾン水濃度が高められて）再び該タンク５内に還流させる事により、オゾン水濃度を一定レベルに維持する（ブロック４５）。
【００３９】
尚、循環オゾン水中へのオゾン溶解度を高めたり、オゾン水中のオゾンの分解を抑制する方策として、図１に示している様に前記オゾン水循環配管Ｌ９に冷却器１６を設置する事も可能である。この場合には、オゾン水タンク５内のオゾン水は、該循環配管Ｌ９を流通する過程で前記冷却器１６によって冷却され、前記電解式オゾン水発生装置２の陽極側流路２ａにおいて生成オゾンの水中への溶解度を高める事が可能となる。但し、この冷却器１６の設置は必須ではなく、該冷却器の設置によるオゾン水濃度の向上及びオゾンの分解抑制効果というプラス要因と、初期設備投資額の増加と冷却器運転のエネルギ費用の増加というマイナス要因とを比較して設置の要否が選択される。
【００４０】
前記オゾン水循環を行っている間も前記オゾン水濃度センサ４では常時オゾン水濃度を測定しており、その濃度が予め設定されている上限値に達した事を検知すると（判断手段４６：Ｙｅｓ）、前記オゾン水の循環を停止する（ブロック４７）。即ち、電解式オゾン水発生装置２への直流電圧の印加を停止してオゾン水の生成を停止し、循環ポンプＰ１を停止し且つバルブＶ４を閉じてタンク内オゾン水の循環を停止し、上水バルブＶ１を閉じて前記陰極側流路２ｂへの原料水の供給を停止し、バルブＶ３を閉じてアルカリ水の貯蔵を停止する。尚、この停止状態が長時間継続されると前記タンク５内のオゾン水濃度は時間の経過と共に減少するので、停止期間を予め設定しておき、停止の開始と共にタイマーを作動させる。
【００４１】
停止期間が所定の時間に達した事を検知すると（判断手段４８：Ｙｅｓ）、前記バルブＶ３，Ｖ４を開き、上水配管Ｌ１のバルブＶ１を開度小に開けて原料水の前記陰極側流路２ｂへの通水を開始すると共に、前記循環ポンプＰ１を作動させて、前記タンク内オゾン水の循環によるオゾン水濃度の所定の濃度への上昇工程を再開する（ブロック４４）。このオゾン水循環工程を間欠的に行う事によって、前記オゾン水タンク５内のオゾン水濃度は常に一定範囲に保持される様になっている。
【００４２】
次に、オゾン水を使用する場合の制御について、図１，３，４を用いて説明する。この制御には２種類あり、第１の方式は、オゾン水タンク５内のオゾン水を優先的に使用する方式であり、第２の方式は、低濃度オゾン水と高濃度オゾン水を選択可能にした方式である。先ず、第１の方式について、図１，３に従って説明する。
【００４３】
オゾン水を用いて手洗いを行う場合には、オゾン水吐出ノズル１３に設けられた開閉バルブＶ６を手動によって開けると（ブロック５０）、この信号が制御装置８に伝えられて、原料水配管Ｌ１のバルブＶ１は開度小に開けられ、同時にバルブＶ３が開けられて原料水配管Ｌ２から電解式オゾン水発生装置２の陰極側流路２ｂに原料水の供給が行われ、アルカリ水は配管Ｌ５を経てアルカリ水タンク１５に送給される。又、同時に、第２三方弁Ｖ２は循環配管Ｌ９と配管Ｌ４とが連通され、第１三方弁Ｖ５では配管Ｌ６と配管Ｌ７とが連通されると共に、前記循環ポンプＰ１が起動され、電解式オゾン水発生装置２も通電されてオゾン水生成を開始する（ブロック５１）。この結果、前記オゾン水タンク５内に貯蔵されているオゾン水が、循環配管Ｌ９→ポンプＰ１→陽極側流路２ａ→配管Ｌ６→配管Ｌ７の経路を経てオゾン水吐出ノズル１３に送給され、該ノズル１３から、オゾン水濃度が富化されて吐出される。
【００４４】
オゾン水を吐出させて手洗いに使用している間も、タンク内オゾン水の水位が下限に達していないか否かを前記制御装置８で常時判断しており、一度に大量の手洗い水が使用された結果、前記水位センサ７によって下限水位が検出されると（判断手段５２：Ｙｅｓ）、前記オゾン水タンク５からのオゾン水供給を停止して原料水から生成させたオゾン水に切り換える（ブロック５３）。即ち、循環ポンプＰ１を停止して前記オゾン水タンク５からのオゾン水の供給を停止し、同時に、原料水配管Ｌ１のバルブＶ１を開度大となし、第２三方弁Ｖ２では配管Ｌ２と配管Ｌ４を連通させ、第１三方弁Ｖ５では生成オゾン水配管Ｌ６とオゾン水配管Ｌ７とを連通させる。これにより、原料水配管Ｌ２から電解式オゾン水発生装置２の陽極側流路２ａを経て生成されたオゾン水が、配管Ｌ６→配管Ｌ７→オゾン水吐出ノズル１３の経路で手洗い水として供給される。尚、タンク内オゾン水の水位が下限に達していない場合には、上記ブロック５３のオゾン水源切り替え操作を行うことなく次のバルブＶ６の開閉判断（判断手段５４）に移行する。
【００４５】
手洗いが終了してバルブＶ６が閉じられ、これを検知すると（判断手段５４：Ｎｏ）、再びタンク内の水位の判断を行い（判断手段５５）、該タンク内水位が所定の下限値以上の場合、即ち、タンク内オゾン水の水位が所定の範囲に存在する場合には（判断手段５５：Ｎｏ）、図２に（Ａ）の矢印で示している工程、即ち、ブロック４７の処理に移行し、装置を停止状態にして前記タイマーを作動させ前記タンク内オゾン水の再循環工程の待ち時間に入る。一方、前記タンク内水位が所定の下限値以下の場合には（判断手段５５：Ｙｅｓ）、電解式オゾン水発生装置２からの生成オゾン水配管Ｌ６と前記タンク５にオゾン水を供給する配管Ｌ８とを連通させ（ブロック５６）、図２に（Ｂ）の矢印で示している工程、即ち、前記タンク内へのオゾン水蓄積貯蔵工程に移行する。
【００４６】
尚、手洗いに使用されたオゾン水は、受槽としてのシンク９内に流下し、配管Ｌ１０から既設の排水管に排出される。又、手洗い中に気化するオゾンガス或いはシンク９内に流下したオゾン水から発生するオゾンガスが発生するオゾンの臭気が周囲に漂う事になるので、前記シンク９の上端部近傍に吸気口１４が設けられており、該吸気口１４は排気ファン１０を有するガス配管Ｇ３に接続され、該配管Ｇ３は、オゾン分解装置１１に接続されたガス配管Ｇ４に接続されているので、手洗い中に発生したオゾンガスは、前記吸気口１４から排気ファン１０で吸引され、配管Ｇ３，Ｇ４を経て前記オゾン分解装置１１に供給され、無臭化されて配管Ｇ５から大気中に放出される。
【００４７】
又、前記オゾン水タンク５は密閉型であるので、該タンク内のオゾン水から発生するオゾンガスや該オゾンガスが分解して生成した酸素ガスが気相中に溜まると該タンク５内の圧力が上昇する。そこで、該タンク５には、タンク内圧力が所定値以上になると内蔵された弁を開いてタンク内のガスを放出する自動排気装置６が設けられており、この放出されたガスも、前記オゾン分解装置１１にガス配管Ｇ２，Ｇ４を介して供給され、分解されて善意委配管Ｇ５から大気中に放出する様に構成されている。
【００４８】
次に、第２の放棄について、図１，４を用いて説明する。この方式は、手洗い水吐出ノズル１３から吐出されるオゾン水濃度を予め「高濃度オゾン水」と「低濃度オゾン水」に選択可能にした方式であり、この選択は、前記制御装置８の盤面或いは前記手洗い水吐出ノズル１３の近傍に「高濃度」と「低濃度」の２種類のボタンスイッチを配置しておき、使用者が適宜選択する様に構成されている。そこで、使用者が手洗い動作の前にいずれかのボタンを押して「高濃度」或いは「低濃度」を選択すると、その選択信号は前記制御装置８に伝達されて記憶される。続いて、前記手洗い水吐出ノズル１３のバルブＶ６を開けると（ブロック５０）、いずれの濃度に設定されているかが判断され（判断手段６１）、高濃度オゾン水が選択されている場合には（判断手段６１：Ｙｅｓ）、前記図２の矢印Ｃで示した制御に入り、ブロック５１に示した制御に従って前述の通りオゾン水タンク５内のオゾン水を前記電解式オゾン水発生装置２の陽極側流路２ａを通してオゾン水濃度を富化させて前記配管Ｌ４→配管Ｌ７→手洗い水吐出ノズル１３に供給される。即ち、「高濃度オゾン水」が選択されている場合には、オゾン水タンク５内のオゾン水を電解式オゾン水発生装置２を通してオゾン水濃度を富化して供給する事になる。
【００４９】
一方、「低濃度オゾン水」が選択されている場合（判断手段６１：Ｎｏ）には原料水から生成したオゾン水を直接供給する様に設定している。即ち、原料水供給配管Ｌ１を開度大に開け、バルブＶ３，Ｖ４を開け、第２三方弁Ｖ２では配管Ｌ２とＬ４を連通させ、第１三方弁Ｖ５では配管Ｌ６とＬ７を連通させる（ブロック６２）。続いて、電解式オゾン水発生装置２の通電を開始して原料水からのオゾン水生成を開始する（ブロック６３）。このオゾン水は、前記オゾン水タンク５に貯蔵されているオゾン水を原水としてオゾン水濃度の富化を行う場合に比して、相対的に低濃度のオゾン水となっている。
【００５０】
次に、前記手洗い水吐出ノズル１３のバルブＶ６の開閉を判断手段６４で判断し、該バルブＶ６が「開」の場合、即ちオゾン水の使用が継続されている場合には、該バルブＶ６の「閉」が確認されるまで、その判断作業を継続する（判断手段６４：Ｙｅｓ）。オゾン水の使用が終了し、該バルブＶ６が閉じられると（判断手段６４：Ｎｏ）、続いて前記オゾン水タンク５の水位を検知し、水位が下限以下の場合（判断手段６５：Ｙｅｓ）には、前記電解式オゾン水発生装置２における原料水からのオゾン水生成を継続すると共に、前記第１三方弁Ｖ５の切り替え操作を行って、生成オゾン水供給配管Ｌ６をオゾン水配管Ｌ８と接続させて、オゾン水タンク５への供給貯蔵工程を開始する（ブロック６６）。その後は、図２に矢印Ｂで示した工程に移り、該オゾン水タンク５内の水位が上限水位に到るまでオゾン水の貯蔵を継続する。一方、前記水位が下限水位を越えている場合には（判断手段６５：Ｎｏ）、前記図２に矢印Ａで示した工程に移り、ブロック４７に示した操作により、電解式オゾン水発生装置２の運転を停止し、前記オゾン水タンク５内のオゾン水濃度維持のための循環待ち工程に入る。
【００５１】
以上の通り、第２方式は、オゾン水濃度を使用前に「高濃度」と「低濃度」のいずれかを選択する様にしているので、オゾン水の使用目的や洗浄されるべき手の汚染具合等に応じて適宜オゾン水を使い分ける事が可能となる。
【００５２】
以上の説明においては、オゾン水濃度を「高濃度」と「低濃度」の２種から選択する場合についての説明であるが、「高濃度」と「中濃度」と「低濃度」との３種から選択可能となし、「高濃度」を選択した場合には前述の通りオゾン水タンク５内のオゾン水濃度を富化して供給し、「低濃度」と「中濃度」を選択した場合には、原料水を電解式オゾン水発生装置を通して直接手洗い水吐出ノズル１３に供給する点は前述の通りであるが、該電解式オゾン水発生装置２の設定を、電流値の低い低濃度運転と電流値の高い高濃度運転とに切り替え可能に予め構成しておき、「低濃度」が選択された場合には低電流で運転し、「中濃度」が選択された場合には高電流で運転する様になす事も可能である。この場合に、「高濃度」が選択された場合に電解式オゾン水発生装置２の運転電流は、前記中濃度の運転電流と同等程度となし、濃度の逆転が生じない様な工夫が必要である事はいうまでもない。尚、理論的には、係る濃度設定の種類は幾つでも可能であるが、実用上は、上述した「高濃度」と「低濃度」の２種で十分である。
【００５３】
又、以上の説明においては、オゾン水吐出ノズル１３のバルブＶ６の開閉を手動で行う場合について説明したが、このバルブＶ６を電磁弁となし、前記シンク９の上端部近傍にセンサ１２を配置し、該センサ１２で人の手を検知すると前記バルブＶ６を開く様にした所謂自動弁方式を採用できる事はいうまでもない。
【００５４】
又、前記電解式オゾン水発生装置２の陰極側流路２ｂを通過し、陰極水タンク１５に蓄積た陰極水がアルカリ水の場合には、アルカリ水自体も一種の殺菌水であるので、床洗浄その他の洗浄用水として使用可能であるが、図１に示している様にアルカリ水タンク１５からポンプＰ２，アルカリ水配管Ｌ１１，バルブＶ７を介してオゾン水吐出ノズル１３に接続し、オゾン水吐出ノズルからオゾン水と共にアルカリ水を手洗い用に吐出させる事も可能である。この場合は、手洗い用オゾン水吐出ノズル１３の前記バルブＶ６が開けられると、アルカリ水配管Ｌ１１のバルブＶ７も自動的に開けられ、同時にアルカリ水ポンプＰ２も作動させる事により、前記吐出ノズル１３からオゾン水とアルカリ水との混合水を吐出させる事になる。
【００５５】
オゾン水による殺菌効果を含む酸化能は、水中におけるオゾンの解離によって生じた〔ＨＯ〕や〔Ｈ０２  〕等の強力な酸化能を有するフリーラジカルによるものと考えられており、オゾン水はｐＨ９〜１１程度のアルカリ雰囲気下では、急速に解離が進行し、オゾン水中の係るフリーラジカル濃度も急速に高くなる。しかし乍ら、係る高い酸化能を有する状態は、数十秒〜数分程度しか保持できないが、本発明が対象とする手洗い用オゾン水の場合には、人の手と流水であるオゾン水との接触時間は数秒程度であるので、オゾン水にアルカリ水を混合させておけば、この数秒の間に酸化能を最大の状態にされたオゾン水で手洗いを行う事が可能となる。係る意味において、前記オゾン水吐出ノズル１３内にアルカリ水を注入して混合させる方式は、オゾン水の酸化能を最大にして使用できるのみならず、アルカリ水の有効活用にもなる。
【００５６】
尚、前記アルカリ水のｐＨは９〜１１であるものが好ましく、又、前記アルカリ水の前記オゾン水に対する混合割合は、オゾン水に対する容量比で１／１〜１／５０の割合で混合させたものが好ましい。この意味で、前記原料水配管Ｌ２からアルカリ水となる前記電解式オゾン水発生装置２の陰極側流路２ｂに供給される原料水の量と、オゾン水となる前記陽極側流路２ａに供給される原料水の量との比率は、１：１０程度であるから、アルカリ水とオゾン水との混合比率を、同程度に設定しておけば、生成したアルカリ水の全てを手洗い用洗浄水として使用する事も可能となる。
【００５７】
尚、前記陰極水タンク１５に貯蔵された陰極水が中性水の場合には、これを任意の目的で使用する事も可能であるが、前記原料水配管Ｌ１に合流させたり、前記陰極側流路２ｂ内を循環使用させる事も可能である。
【００５８】
又、前記手洗い水吐出ノズル１３から吐出されるオゾン水の温度は、オゾンの溶解度の観点からは低温の方が好ましいが、手洗いを行う使用者の立場からは、適度の温水である方が好ましい。このため、図１に示しているオゾン水加温器１７とアルカリ水加温器１８を通して加温したオゾン水又はアルカリ水を混合して手洗い水吐出ノズル１３から吐出させる様になす事も可能である。尚、上述の通りオゾン水は加温するとオゾンが分解したり気体となって放出される割合が増えるので、アルカリ水加温器１８のみを作動させてアルカリ水のみを加温し、これを加温されていないオゾン水と合流させて手洗い水吐出ノズル１３から吐出させるのが好ましい方策である。この場合には、アルカリ水の加温温度は、オゾン水と合流された状態で使用者が適温と感じる３０℃前後の温度となる様に設定される事になる。
【００５９】
又、上記説明においては、オゾン水濃度センサ４を電解式オゾン水発生装置２の陽極側流路２ａの出口側の生成オゾン水配管Ｌ６のみに配置しているが、前記オゾン水タンク５にも設置して該タンク内のオゾン水濃度を検出し、該オゾン水濃度が所定の値以下になると前記オゾン水の循環操作を行う様になす事も可能である。しかし乍ら、この場合には、オゾン水濃度センサが２つ必要となり、設備コストが増加すると共に制御系も複雑になるので、前述した通り生成オゾン水配管Ｌ６のみに配置する方は好ましいといえる。
【００６０】
以上の説明は、オゾン水による手洗い装置について説明したが、上述したオゾン水の循環系統によるオゾン水濃度維持装置は、生成オゾン水を床洗浄や器具洗浄用に使用する場合にも適用できる事は言うまでもない。
【００６１】
【発明の効果】
以上詳述した如く、本発明のオゾン水を用いた手洗い装置によれば、電解式オゾン水発生装置２を用いて生成したオゾン水を一旦オゾン水タンク５に蓄積貯蔵し、該タンク５内のオゾン水を前記電解式オゾン水発生装置の陽極側流路２ａに供給してオゾン水濃度を富化して再度該オゾン水タンク５に帰還させるオゾン水循環経路を設けているので、分解し易く貯蔵の困難なオゾン水の濃度を、常に略一定に保持する事が可能となる。これにより、濃度の安定したオゾン水で手洗いを行う事が可能となるので、医療現場や調理場等におけるオゾン水による手洗い殺菌が確実なものとなる。
【００６２】
又、オゾン水生成装置として電解式オゾン水発生装置を採用しているので、その起動・停止は極めて簡単であり、特に、起動後数秒で所定のオゾン水濃度に達する立ち上がりの速さは、手洗い用オゾン水の製造装置としては不可欠な要素であり、従来の放電式オゾン水製造装置におけるオゾンガス溶解方式では到底達成する事のできない電解式オゾン水発生装置に特有の効果である。
【００６３】
又、前記電解式オゾン水発生装置は、起動後、数秒〜１０秒以内の短時間で２０ｐｐｍ程度の高濃度のオゾン水を生成させる事が容易な装置であるので、高々数ｐｐｍのオゾン水しか得られなかった従来のオゾンガス溶解法によるオゾン水生成装置に比して、数ｐｐｍ程度で使用される手洗い用オゾン水の生成装置としては、極めて余裕を持った運転が可能であり、要求オゾン水濃度の変更にも極めて容易に追従する事が可能となる。
【００６４】
又、前記手洗い水吐出ノズルの下方に設けられたシンクにガス化オゾンを含む空気を吸引する吸気口１４を設けておけば、手洗い中の人がオゾンガスを吸入するのを防止する事が可能となる。又、この吸気口１４に接続された配管に吸気ファン１０とオゾン分解装置１１とを設け、前記手洗い水吐出ノズル１３に設けられた開閉弁Ｖ６が開けられた事を検知して該吸気ファン１０を起動させ、前記開閉弁Ｖ６が閉じられた事を検知して該吸気ファン１０を停止させる様に制御しておけば、手洗い時にのみ吸引排気させる事ができるので、該吸気ファンの稼働時間の短縮化とエネルギコストの低減にも寄与する事になる。
【００６５】
又、前記オゾン水タンク５の上部に、該タンク内の圧力が所定値以上になると開口して該タンク内のガスを排出する自動排気装置６を設けておき、該自動排気装置からのオゾンを含む排出ガスを、前記オゾン分解装置１１を通して大気に放出する様にしておけば、周囲にオゾンガスの異臭が発生するのを確実に防止する事が可能となる。
【００６６】
又、手洗い用オゾン水の吐出ノズル１３に、前記電解式オゾン水発生装置２の陰極側流路２ｂで生成したアルカリ水を合流させる配管Ｌ１１を設け、オゾン水とアルカリ水との混合水が手洗い水として吐出する様にしておけば、オゾン水の活性（酸化能）が短時間で最大となるので、手洗い殺菌効果を著しく高める事が可能となる。
【００６７】
更に、オゾン水の濃度を「高濃度」と「低濃度」の２種の選択を可能となしておけば、使用者の状況に応じた濃度のオゾン水の使用が可能となり、無駄の少ないオゾン水の使用が可能となる。
【図面の簡単な説明】
【図１】図１は、本発明に係るオゾン水を用いた手洗い装置の機器フロー図である。
【図２】図２は、図１の装置のオゾン水貯蔵と濃度維持工程の制御フロー図である。
【図３】図３は、図１の装置の第１方式のよるオゾン水使用時の制御フロー図である。
【図４】図４は、図１の装置の第１方式のよるオゾン水使用時の制御フロー図である。
【図５】図５は、本発明で使用する電解式オゾン水発生装置の要部概念図である。
【符号の説明】
１  軟水器
２  電解式オゾン水発生装置
２ａ  陽極側流路
２ｂ  陰極側流路
４  オゾン水濃度センサ
５  オゾン水タンク
６  自動排気装置
７  水位センサ
７ａ  上限水位センサ
７ｂ  下限水位センサ
８  制御装置
９  シンク
１０  吸気ファン
１１  オゾン分解装置
１２  人手検知センサ
１３  手洗い水吐出ノズル
１５  アルカリ水タンク（陰極水タンク）
１６  オゾン水冷却器
１８  アルカリ（陰極水）加温器
Ｌ１  上水配管
Ｌ２  上水配管
Ｌ３  陰極側上水配管
Ｌ４  陽極側上水配管
Ｌ５  アルカリ水配管
Ｌ６  生成オゾン水配管
Ｌ７  オゾン水配管
Ｌ８  オゾン水配管
Ｌ９  オゾン水循環配管
Ｌ１０  排水配管
Ｌ１１  アルカリ水配管
Ｖ１，Ｖ３，Ｖ４，Ｖ６，Ｖ７  開閉バルブ
Ｖ２，Ｖ５  三方弁
Ｇ１〜Ｇ４  オゾン含有ガス配管
Ｐ１  循環ポンプ
Ｐ２  アルカリ水（陰極水）ポンプ
【図１】
2004324190.tif 000003
【図２】
2004324190.tif 000004
【図３】
2004324190.tif 000005
【図４】
2004324190.tif 000006
【図５】
2004324190.tif 000007